【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
木材保存剤組成物を木材製品と接触させることを含む、木材保存剤組成物の木材製品への浸透を増大させるため、または木材保存剤組成物の木材製品への処理時間を短縮するための方法であって、前記木材保存剤組成物が、
ａ．銅化合物と、
ｂ．トリアゾールと、
ｃ．第４級アンモニウム化合物と
を含み、前記木材保存剤組成物が、第４級アンモニウム化合物を欠いている前記木材保存剤組成物よりも大きい程度まで、またはそれよりも短い時間で、前記木材製品に浸透する、方法。
【請求項２】
前記第４級アンモニウム化合物が、
【化１】
2018533501.tif 000001
（式中、ｍの値は少なくとも１かつ最大２０であり、ｎの値は少なくとも１かつ最大２０であり、ａの値は少なくとも１かつ最大５であり、ｂの値は少なくとも１かつ最大５であり、Ｘ−は、ホウ酸アニオン、塩化物アニオン、炭酸アニオン、重炭酸アニオン、臭化物アニオン、ヨウ化物アニオン、ギ酸アニオン、酢酸アニオン、プロピオン酸アニオン、および他のアルキルカルボン酸アニオンからなる群から選択されるアニオンである）
を含む化学構造を有する、請求項１に記載の方法。
【請求項３】
前記ｍの値が１０または１２であり、前記ｎの値が１０または１２であり、前記ａの値が１であり、前記ｂの値が１であり、前記Ｘ−がホウ酸アニオン、塩化物アニオン、プロピオン酸アニオン、炭酸アニオン、または重炭酸アニオンである、請求項２に記載の化学構造。
【請求項４】
前記銅化合物が、銅金属、酸化第一銅、酸化第二銅、水酸化銅、炭酸銅、塩基性炭酸銅、オキシ塩化銅、銅８−ヒドロキシキノラート、ジメチルジチオカルバミン酸銅、銅オマジン、およびホウ酸銅からなる群から選択される、請求項２に記載の方法。
【請求項５】
前記銅化合物がアミンの存在下で可溶化される、請求項２に記載の方法。
【請求項６】
前記アミンが、アルカノールアミン、モノエタノールアミン、エチレンジアミン、ジエタノールアミン、トリエタノールアミンおよびアンモニアからなる群から選択される、請求項５に記載の方法。
【請求項７】
前記可溶化銅化合物が、銅金属、水酸化銅、酸化第一銅、酸化第二銅、炭酸銅または塩基性炭酸銅から調製される、請求項５に記載の方法。
【請求項８】
前記トリアゾールが、テブコナゾールまたはプロピコナゾール、またはシプロコナゾール、またはペンフルフェンである、請求項１に記載の方法。
【請求項９】
前記第４級アンモニウム化合物が、
【化２】
2018533501.tif 000002
（式中、ｍの値は少なくとも１かつ最大２０であり、ｎの値は少なくとも１かつ最大２０であり、ａの値は少なくとも１かつ最大５であり、ｂの値は少なくとも１かつ最大５であり、Ｘ−は、ホウ酸アニオン、塩化物アニオン、炭酸アニオン、重炭酸アニオン、臭化物アニオン、ヨウ化物アニオン、ギ酸アニオン、酢酸アニオン、プロピオン酸アニオン、酢酸アニオン、プロピオン酸アニオン、および他のアルキルカルボン酸アニオンからなる群から選択されるアニオンである）
を含む化学構造を有する、請求項１に記載の方法。
【請求項１０】
前記ｍの値が少なくとも８かつ最大１４であり、前記ｎの値が少なくとも８かつ最大１４である、請求項９に記載の化学構造。
【請求項１１】
前記ｍの値が１０または１２であり、前記ｎの値が１０または１２であり、前記ａの値が１であり、前記ｂの値が１である、請求項９に記載の化学構造。
【請求項１２】
前記Ｘ−が、ホウ酸アニオン、塩化物アニオン、プロピオン酸アニオン、炭酸アニオン、および重炭酸アニオンからなる群から選択される、請求項９に記載の化学構造。
【請求項１３】
前記第４級アンモニウム化合物が、
【化３】
2018533501.tif 000003
（式中、ｍの値は少なくとも１かつ最大２０であり、ｎの値は少なくとも１かつ最大２０であり、ａの値は少なくとも１かつ最大５であり、ｂの値は少なくとも１かつ最大５であり、Ｘ−は、ホウ酸アニオン、塩化物アニオン、炭酸アニオン、重炭酸アニオン、臭化物アニオン、ヨウ化物アニオン、ギ酸アニオン、酢酸アニオン、プロピオン酸アニオン、酢酸アニオン、プロピオン酸アニオン、および他のアルキルカルボン酸アニオンからなる群から選択されるアニオンである）
を含む化学構造を有する、請求項１に記載の方法。
【請求項１４】
前記ｍの値が少なくとも８かつ最大１４であり、前記ｎの値が少なくとも８かつ最大１４であり、前記ａの値が１であり、前記ｂの値が１である、請求項１３に記載の化学構造。
【請求項１５】
前記ｍの値が１２であり、前記ｎの値が１２である、請求項１３に記載の化学構造。
【請求項１６】
前記ｍの値が１０であり、前記ｎの値が１０である、請求項１３に記載の化学構造。
【請求項１７】
前記Ｘ−が、ホウ酸アニオン、塩化物アニオン、プロピオン酸アニオン、炭酸アニオン、および重炭酸アニオンからなる群から選択される、請求項１３に記載の化学構造。
【請求項１８】
前記第４級アンモニウム化合物が、約０．０１％（ｗｔ／ｗｔ）〜約０．５％（ｗｔ／ｗｔ）の間の量で前記木材保存剤組成物中に存在する、請求項２、９又は１３に記載の方法。
【請求項１９】
前記木材保存剤組成物と接触された前記木材製品における銅浸透通過率が、前記第４級アンモニウム化合物を欠いている前記木材保存剤組成物で処理された前記木材製品の銅浸透通過率よりも少なくとも約１５％大きい、請求項２、９又は１３に記載の方法。
【請求項２０】
木材保存剤組成物と木材製品との前記接触が、前記木材製品および前記木材保存剤組成物に約１００ｐｓｉ〜約２００ｐｓｉの間の圧力をかけるステップを含む、請求項２、９又は１３に記載の方法。
【請求項２１】
前記木材製品が、少なくとも約３０分間〜少なくとも約３００分間、前記木材保存剤組成物と接触される、請求項２、９又は１３に記載の方法。
【請求項２２】
前記木材製品が挽製品である、請求項２、９又は１３に記載の方法。
【請求項２３】
前記挽製品が商業的に販売可能な木材製品である、請求項２２に記載の方法。
【請求項２４】
前記商業的に販売可能な木材製品が材木である、請求項２３に記載の方法。
【請求項２５】
前記木材製品が、ダグラスファー、ヘムファー、ノルディックパイン、スコッツパイン、ノルウェートウヒ、シトカトウヒ、サザンイエローパイン、およびインサイジング加工ダグラスファーからなる群から選択される木材種である、請求項２、９又は１３に記載の方法。
【請求項２６】
請求項２、９又は１３に記載の方法によって処理された木材製品。
【請求項２７】
木材保存剤組成物を木材製品と接触させることを含む、木材保存剤組成物の木材製品への浸透を増大させるため、または木材保存剤組成物の木材製品への処理時間を短縮するための方法であって、前記木材保存剤組成物が、
ａ．銅化合物と、
ｂ．トリアゾールと、
ｃ．浸透促進剤と
を含み、前記木材保存剤組成物が、浸透促進剤を欠いている前記木材保存剤組成物よりも大きい程度まで、またはそれよりも短い時間で、前記木材製品に浸透する、方法。
【請求項２８】
前記浸透促進剤が非イオン性界面活性剤である、請求項２７に記載の方法。
【請求項２９】
前記非イオン性界面活性剤が、エトキシレート、アルキルフェノールエトキシレート、オクチルフェノールエトキシレート、ノニルフェノールエトキシレート、ジノニルフェノールエトキシレート、フェノールエトキシレートおよびドデシルフェノールエトキシレートからなる群から選択される、請求項２７に記載の方法。
【請求項３０】
前記銅化合物が、銅金属、酸化第一銅、酸化第二銅、水酸化銅、炭酸銅、塩基性炭酸銅、オキシ塩化銅、銅８−ヒドロキシキノラート、ジメチルジチオカルバミン酸銅、銅オマジン、およびホウ酸銅からなる群から選択される、請求項２７に記載の方法。
【請求項３１】
前記銅化合物がアミンの存在下で可溶化される、請求項２７に記載の方法。
【請求項３２】
前記アミンが、アルカノールアミン、モノエタノールアミン、エチレンジアミン、ジエタノールアミン、トリエタノールアミンおよびアンモニアからなる群から選択される、請求項３１に記載の方法。
【請求項３３】
前記可溶化銅化合物が、銅金属、水酸化銅、酸化第一銅、酸化第二銅、炭酸銅または塩基性炭酸銅から調製される、請求項３１に記載の方法。
【請求項３４】
前記トリアゾールが、テブコナゾールまたはプロピコナゾール、またはシプロコナゾール、またはペンフルフェンである、請求項２７に記載の方法。
【請求項３５】
前記非イオン性界面活性剤が、約０．０１％（ｗｔ／ｗｔ）〜約５．０％（ｗｔ／ｗｔ）の間の量で前記木材保存剤組成物中に存在する、請求項２８に記載の方法。
【請求項３６】
前記木材保存剤組成物と接触された前記木材製品における銅浸透通過率が、前記浸透促進剤を欠いている前記木材保存剤組成物で処理された前記木材製品の銅浸透通過率よりも少なくとも約１５％大きい、請求項２７に記載の方法。
【請求項３７】
木材保存剤組成物と木材製品との前記接触が、前記木材製品および前記木材保存剤組成物に約１００ｐｓｉ〜約２００ｐｓｉの間の圧力をかけるステップを含む、請求項２７に記載の方法。
【請求項３８】
前記木材製品が、少なくとも約３０分間〜少なくとも約３００分間、前記木材保存剤組成物と接触される、請求項２７に記載の方法。
【請求項３９】
前記木材製品が挽製品である、請求項２７に記載の方法。
【請求項４０】
前記挽製品が商業的に販売可能な木材製品である、請求項３９に記載の方法。
【請求項４１】
前記商業的に販売可能な木材製品が材木である、請求項４０に記載の方法。
【請求項４２】
前記木材製品が、ダグラスファー、ヘムファー、ノルディックパイン、スコッツパイン、ノルウェートウヒ、シトカトウヒ、サザンイエローパイン、およびインサイジング加工ダグラスファーからなる群から選択される木材種である、請求項２７に記載の方法。
【請求項４３】
請求項２７に記載の方法によって処理された木材製品。